(57)【要約】【課題】  環境負荷の少ない電気式温風機【解決手段】  本発明の電気式温風機、図１に直流また単相１００Ｖ、単相２００Ｖ，三相２００Ｖの電源を図８の電源２０から取り入れ送風電動機７を運転し発生する風を送風吹出口４から発熱ボックス３内に設置してある発熱体ブロック９ａ、９ｂ、９ｃ間を通過させることにより瞬時に加温された空気が温風吹出口５より発生することにより、燃焼装置、蓄熱材等を使用しない熱損出の少ない経済的な温風発生機を得る。また従来使用されているＡ重油等の化石燃料を使用する事なく電気エネルギーを効率よく熱変換する事により、二酸化炭素、硫黄酸化物、窒素酸化物の発生を抑止し、安全で安心な温風を発生させる事を目的とする。【選択図】図１
2007292431.tif 000002
【特許請求の範囲】
【請求項１】
送風電動機と発熱体ブロックを組込んである発熱ボックスを一体とし、送風電動機より発生する空気を発熱ボックス通過させる事により、瞬間に熱風を発生させて、蓄熱材また化石燃料等を使用する事なく、必要な温度を得る事が可能な事を特徴とする電気式温風器。
【請求項２】
送風電動機の吹出口が発熱体ボックスの面積全体に対してカバー出来る位置に設けられ、発生する風量に対して差圧ロスがなく送風電動機の吹出口に平行に設置構成されている事を特徴とする電気式温風機。
【請求項３】
発熱体ボックス内に設置されている発熱体ブロックの数量、回路、送風電動機の風量を変化させる事により、一般家庭や事務所等の局所、小空間から、農業用ハウスのような大空間に至るまで様々な状況、形態に関して設定できる事、また発熱体ブロックの送風される温風の位置、吹き出し角度を初期調整可能なルーバー機能を設けている発熱体を特徴とする電気式温風機。
【請求項４】
前記発熱体は〔特許文献１〕線状面状発熱体及び線状面状発熱体の製造及びそれらを特徴とする加熱装置−特願２００３−１３７９６４号から形成される電気式温風機。
【請求項５】
電源コードを使用せず直接壁面に設置されているコンセントに取付可能な形態を有し、また本体カバーに蓄光処理を施す事により、夜間の視認性と誘導装置機能を持たせた事を特徴とする電気式温風機。
【発明の詳細な説明】
【技術分野】
【０００１】  本発明は、一般家庭また事務所等の局所、小空間から農業用ハウスのような大空間にいたるまで様々な状況、形態に関して化石燃料を使用せず、環境負荷のない安心で安全な持ち運びの可能な電気式温風機に関する。
【背景技術】
【０００２】  従来の温風機等は、軸流ファン等から送られて流動する空気（気体）を化石燃料等を燃焼炉内にて燃焼させる事により燃焼熱を発生させ、蓄熱材等を加熱昇温させた燃焼筒や燃焼筒内部に送り込む事により温風を発生させている。また電気式に温風を発生させる方式も１２００Ｗ〜１５００Ｗ範疇の温風器がある事は周知であるが、農業ハウスのような大空間に関しては、化石燃料をヒーターにより加温し、燃料を気化噴射させバーナーにより燃焼炉内にて燃焼し、この熱を蓄熱材に蓄熱利用し、送風機から送られて来る空気を暖め、この温風を送風しハウス内を暖房する方法が従来からの工法として用いられている。
【発明の開示】
【発明が解決しようとする課題】
【０００３】  しかしながら、上記した従来の温風機は化石燃料を燃焼させる方式を使用しており、現在問題とされている、人体、環境にも有害な二酸化炭素や一酸化炭素、窒素酸化物、硫黄酸化物等が発生し、地球環境を悪化してしまっているといった問題があった。【０００４】  さらにまた、前記した従来の加熱方式では、ハウス内へ外気を引き込み加熱する事により、環境温度が左右されて温度のバラツキが発生する。また燃焼時に発生するガスを煙突から排気しなければならなかった。その時に排気と共に燃焼時に発生した熱も同時に煙突から廃熱されてしまうために熱効率を悪くしてしまい、また換気を充分に行なわなくてはいけない問題もあった。【０００５】  また、現在使用されているシーズヒーター、カーボンヒーター等を利用した電気ヒーターから発生させる熱容量では比熱が大きいため、流動する気体（空気）を瞬時に充分加熱する事が難しく、極、狭小な空間しか暖房が取れないという問題があった。【０００６】  本発明は、上記した課題を解決すべく成された物であり、人体に無害で環境を汚染する物質の発生もなく、効率良く、一般家庭また事務所等の小空間から、農業ハウスのような大空間まで加温する事が可能な電気式温風機を提供使用とする物である。
【課題を解決するための手段】
【０００７】  本発明は上記課題を解決するために成された物であり、請求項１では本体内に接続された発熱体ボックス３と、この発熱体ブロックから発生する熱を本体外に温風として送風するための送風用電動機７を後部に備えたものである。【０００８】  また農業用ハウスのような大空間の加温に関しては絶対風量が必要なため送風電動機の容量を上げる事が必要となる。そのときの風量として３０ｍ３／ｍｉｎ〜８０ｍ３／ｍｉｎの風量が発生可能な容量を選択する事が好ましい。また温度管理及び本体を運転するに当たり制御機能を持つべく制御ボックス８と電気式温風機の主電源回路を統一構成されている事を特徴とする。【０００９】  一般家庭、事務所等の空間暖房に際しての送風電動機の機能として１ｍ３／ｍｉｎ〜５ｍ３／ｍｉｎの風量の送風機を選定する、この時主電源に対しての入／切、また温度調節機能としての強／弱の切り替えスイッチ、及び耐震機能装置を持たせる事が好ましい。【００１０】  また発熱体１２は〔特許文献１〕線状面状発熱体及び線状面状発熱体の製造及びそれらを特徴とする加熱装置−特願２００３−１３７９６４号から構成されている事が好ましい。しかし高温発熱させる為従来使用しているポリエステル、ポリエチレンフィルム等にての被覆する必要はない。【００１１】  さらに、線状発熱体１２は線状を形成しており複数の発熱体が一定の間隔で回路形成され線状発熱体１ブロック当り１回路〜３回路送風吹出口４に向かい水平に取り付けられている事が良い。【００１２】  また送風電動機７と発熱体ブロック９を組込んである発熱体ボックス３にコンセントプラグを直に接続可能なリレーボックス３２を持つ形態にし、本体カバー１に蓄光処理加工をする事により本体カバー１自体を発色、発光させる事が良い。
【発明の効果】
【００１３】  本発明によれば直流電源６Ｖ〜２４Ｖ、単相交流商用電源１００Ｖ、２００Ｖ、三相交流電源２００Ｖを使用し線状発熱体１２を、瞬間加熱する事により送風電動機より送られる空気（気体）が発熱体ボックス３を通過する一瞬に空気に放熱加温する事が可能な為、蓄熱材等を使用する事のない大容量温風を発生させる事ができる。【００１４】  また化石燃料を一切使用しない為に、燃焼時に発生する人体また環境に有害な一酸化炭素、二酸化炭素、窒素酸化物、硫黄酸化物、等の発生が無く地球環境負荷が皆無であり排気用煙突等の付帯工事の発生も無く工事費にかかる負担が軽減される等種々の優れた効果を得る事が出来る。
【発明を実施するための最良の形態】
【００１５】  以下図１〜図９を参照しつつ本発明の実施の形態について説明する、図１は本発明の実施の形態に係る電気式温風機概略構成を示す全体の斜視図である。図２は電気式温風機の上面図であり、図３は発熱体ブロックカバー構成側面図、図４は電気式温風機の電気的熱を発生させる発熱体ブロックの斜視図である。図５絶縁碍子である。図６は碍子、発熱体取付け図であり、図７は壁取付ホルダー斜視図、図８は制御ボックス、図９は本発明の実施例における電気式温風機の電気回路図である。【００１６】  図１に示されているように本発明の実施の形態に係る電気式温風機は、リレーボックス３２から配線される電源コード３３より各種の電源電流を本体へ取り入れ、本体後部に設けられた送風電動機７から発生する風を送風機送風路中に設置された発熱体ブロック内に１２を取り付けた発熱体ボックス３内部を通過し、吹出口５から温風が送風される。またこの時の環境温度を感知すべき温度感温装置２７で感知し吹き出し温度が高くなった時には発熱体への通電が停止される様構成されている。【００１７】  本発明の電気式温風機を形成する本体カバー１の表面仕上げ塗装剤として、本発明の１人である斎藤一夫氏が発明し特許出願中、〔特許文献２〕アルミ資材への蓄光剤焼成方法に基づく表面処理−文献番号−２００１−４９４６３号、を行なう事により、夜間の視認性を確保する事と、避難誘導体としての効果を得られるようにする事が好ましい。【００１８】  また、一般住宅及び事務所等の局所暖房としての使用に際しては、送風電動機７の送風容量を少なくする事により本体重量を大幅に軽減する事となり、電気式温風機に電源コンセントプラグを直接接続する事、または本体から電源接続コードを取り付け可能なように構成し、選択できる事が好ましい。
【発明を実施するための最良の形態】
【００１９】  以下に本発明の実施形態例を挙げ添付図面を参照して本発明の実施の形態を具体的、かつ、より詳細に説明する。【００２０】  本発明の電気式温風機は、送風電動機７と本体カバー１が一体化されており、図４の発熱体ブロック９が発熱体カバー３の内側に、図６のように１回路から３回路吹出口４の方向に水平に組込まれている。また発熱体１２を組込んである発熱体ブロック９が発熱体カバー３と本体カバー１に一体形成されている事が好ましく本体下部に移動用のキャスター機能６ａ、６ｂ、６ｃ、６ｄを持たせている。【００２１】  その時送風吹出口４の全体を発熱体ボックス３が覆うように構成する事により送風の差圧を無くし風量に対してのロスが発生しないように接続されている。また発熱体ブロック９は図３発熱体ボックス構成側面図の８ａ、８ｂ、８ｃ、８ｄにより一体に取付組込まれている。【００２２】  発熱体ブロック９の内部に組み込まれた図６は、図５の絶縁セラミック碍子に発熱体１２を巻くように最低１回路構成されている。発熱体カバー１１に、発熱体ブロック取付部１０ａ、１０ｂ、１０ｃ、１０ｄを接続固定し、図５の碍子穴へ、ボルト１６にボルトナット１５にて固定接続し、電極端子１４より導線３４を用い電極リレーボックス３２に接続される。【００２３】  上記リレーボックス３２から接続された導線３４が、図９電気回路図の電源２０に接続されている、漏電ブレーカー２２のスイッチを入れる事により電磁開閉器２３及び電磁接触器２４に通電され図８制御ボックス盤面表面に取り付けられている、セレクトスイッチ１８、１９のボタンを押し込む事により図１の温風暖房機後方に設置された、図２の送風電動機７から送風が行われ運転が開始される。またこの時セレクトスイッチ１８は夏期の送風に限った運転が行われ、セレクトスイッチ１９を操作する事により図示はしないが発熱体回路に通電され、冬季期間の温風暖房運転が可能になる。【００２４】  電気式温風機に接続されている図８電気回路の断線検出器２５にリレー回路接続されている、速断ヒューズ２６は発熱体回路に各１本接続し、発熱体の損傷による異常電流が流れた時にその異常を示した回路の電流を瞬時に断線させさせる事が可能で、漏電ブレーカー２２を遮断する事無く他の回路の通常運転が行なえるように構成してある。また温風吹出口５の温度が高温になり過ぎた場合、例えば吹出口温度が１００℃に昇温してしまった時には温度ヒューズ２１が働き８０℃になるまで電源が遮断される用設定が可能である。【００２５】  また電気式温風機、図８制御盤表面に配置してある送風異常警報２８は送風機の故障また異物混入により異常が発生した場合にランプが表示、漏電または電気系統に異常が発生した場合は、電源異常警報２９のランプが表示、発熱体に関する損傷等による発熱体異常警報３０のランプが表示、異常温度を感知した時には温度異常警報３１のランプがそれぞれに点灯し確認できる機能を持たせている。【００２６】  また運転中に環境温度が設定温度に達した時には温度調節器２７が働き発熱体回路及び送風回路が遮断され温風送風が停止し、環境温度が下がれば自動復帰が可能な設定に構成されている。【００２７】  一般家庭及び事務所等の局所暖房をするに当たり温風器本体に取り付けてあるリレーボックス３３にコンセントプラグを取り付け図７壁面取付用ホルダーに電気温風機をのせホルダー取付部位１７ａ，１７ｂに、ビス等を使用して直接取り付ける事も可能である。またその時、図４組み込まれている図６の線状発熱体１２の角度を自由に変更する事により様々な方向への温風送風及び個所への設置が可能になる。【００２８】  本発明は上記した実施の形態により、人体及び地球環境、また植物に無害である事は言うまでもなく、一般家庭及び事務所等の局所温風暖房から農業用ハウスのような大面積の空間まで、化石燃料等を使用する事なく電気エネルギーを効率良く熱に変換する事により蓄熱材等を一切使用する事なく、一酸化炭素、二酸化炭素、窒素酸化物、硫黄酸化物などを排出する事の無い環境負荷の無い瞬間に必要な熱を発する事の出来る電気温風暖房機である。【００２９】  また上記した発熱体の形状や配置に関しては上記に限定される物ではなく、各種変更が可能であり、さらに線状発熱体１２は上記以外の物に組込む事も可能である。
【図面の簡単な説明】
【００３０】
【図１】本発明の実施の形態に係る電気式温風機本体を示す斜視図である。
【図２】本発明の実施の形態に係る電気式温風機本体の上面図である。
【図３】本発明の実施の形態に係る電気式温風機発熱体ボックスの構成側面図である。
【図４】本発明の実施の形態に係る電気式温風機発熱体ブロックの斜視図である。
【図５】本発明の実施の形態に係る電気式温風機の絶縁碍子である。
【図６】本発明の実施の形態に係る電気式温風機の碍子、発熱体取付側面図である。
【図７】本発明の実施の形態に係る電気式温風機の壁面取付ホルダー斜視図である。
【図８】本発明の実施の形態に係る電気式温風機の制御ボックスである。
【図９】本発明の実施の形態に係る電気回路図である。
【符号の説明】
【００３１】１  本体カバー
２  吸気口
３  発熱体ボックス
４  送風吹出口
５  温風吹出口
６ａ、６ｂ、６ｃ、６ｄ  キャスター
７  送風電動機
８ａ、８ｂ、８ｃ、８ｄ  発熱体ボックス取付部
９ａ、９ｂ、９ｃ  発熱体ブロック
１０ａ、１０ｂ、１０ｃ、１０ｄ  発熱体ブロック取付部
１１ａ、１１ｂ、１１ｃ  発熱体カバー
１２ａ、１２ｂ  線状発熱体
１３  セラミック碍子
１４ａ、１４ｂ  電極端子
１５ａ、１５ｂ  ナット
１６ａ、１６ｂ  ボルト
１７ａ、１７ｂ  ホルダー取付部
１８  セレクトスイッチ夏期
１９  セレクトスイッチ冬期
２０  電源
２１  温度ヒューズ
２２  漏電ブレーカー
２３  電磁開閉器
２４  電磁接触器
２５  断線検出器
２６  速断ヒューズ
２７  温度調節器
２８  送風異常警報
２９  電源異常警報
３０  発熱体異常警報
３１  温度異常警報
３２  リレーボックス
３３  １次側電源コード
３４  導線
【図１】
2007292431.tif 000003
【図２】
2007292431.tif 000004
【図３】
2007292431.tif 000005
【図４】
2007292431.tif 000006
【図５】
2007292431.tif 000007
【図６】
2007292431.tif 000008
【図７】
2007292431.tif 000009
【図８】
2007292431.tif 000010
【図９】
2007292431.tif 000011